(57)【要約】      （修正有）【課題】スライダを取付し易いようにカバーとばね板とを一体に組み立て、またばね板の強度を低下させ、かつばね板の変形空間を増加させ、使用者がスライダを引っ張る時により省力できるようにする。【解決手段】ジッパースライダのカバー構造１は、カバー１０及びばね板２０を備え、カバーの底面１１に収容溝を凹むように形成し、収容溝内に少なくとも一つの突起が凸設され、突起の対向する両側に凹部がそれぞれ形成され、２つの凹部の底面は前記突起の頂面より低く、カバーの縦方向の両側は側壁１５をそれぞれ有し、２つの側壁には収容溝に連通する凹所５１及び位置制限部１５２がそれぞれ設けられ、ばね板が収容溝内に設けられ、２つの位置制限部に当接し、ばね板の一端に開口２１が設けられる。【選択図】図１
0003140096.tif 000002
【実用新案登録請求の範囲】
【請求項１】
カバーとばね板とを備えるジッパースライダのカバー構造であって、
カバーは、
底面に形成された凹状の収容溝と、
収容溝内に凸設された少なくとも一つの突起と、
突起の対向する両側に形成された凹部と、
長手方向の両側のそれぞれに形成された側壁と、
側壁毎に形成され、収容溝に連通する凹所と、
側壁の、凹所に近接する箇所に形成される位置制限部とを備え、
前記２つの凹部の底面は突起の頂面より低く、
ばね板は、
カバーの突起に対応する開口が一端に形成され、
カバーの収容溝内に設けられ、２つの位置制限部に当接することを特徴とするジッパースライダのカバー構造。
【請求項２】
前記収容溝の内部の両端に近い箇所に突起がそれぞれ設けられ、前記ばね板の両端には２つの突起に対応する２つの開口が設けられることを特徴とする請求項１記載のジッパースライダのカバー構造。
【請求項３】
前記凹部が、前記突起と前記収容溝の一側の内壁との間に位置されることを特徴とする請求項１記載のジッパースライダのカバー構造。
【請求項４】
前記位置制限部は、前記側壁から前記収容溝の方向へ曲折して形成されたことを特徴とする請求項１記載のジッパースライダのカバー構造。
【請求項５】
前記２つの位置制限部は斜めに対向して設置されたことを特徴とする請求項１記載のジッパースライダのカバー構造。
【請求項６】
前記２つの位置制限部は対向して設置されたことを特徴とする請求項１記載のジッパースライダのカバー構造。
【請求項７】
前記ばね板の中間箇所に下向きに曲折して接触部を形成したことを特徴とする請求項１記載のジッパースライダのカバー構造。
【請求項８】
前記開口は周囲が閉ざされた開口であることを特徴とする請求項１記載のジッパースライダのカバー構造。
【請求項９】
前記開口は一端がばね板の端面に開放された切欠き状の開口であることを特徴とする請求項１記載のジッパースライダのカバー構造。
【考案の詳細な説明】
【技術分野】
【０００１】
本考案は、ジッパースライダのカバー構造に関し、特に、ジッパースライダに取り付けられ、かつ先にばね板をカバー内部に取り付けておくカバー構造に関するものである。
【背景技術】
【０００２】
従来のジッパースライダ構造は、ジッパーのティス（図略）に係合し、スライダ、プルタブ、Ｕ形リンク、ばね板、及びカバーを備える。スライダの頂部に２つの固定座が設けられ、プルタブは予め設けられた嵌合穴でスライダの１つの固定座に嵌め合い、Ｕ形リンクはスライダの内部に可動的に設置され、ばね板はスライダ上に配置され、かつＵ形リンクの上縁に当接し、最後に、スライダ上にカバーを配置し、カバー内にばね板を固定させるとともに、プルタブの端部がカバーの両側の凹所に貫通される。
【０００３】
ジッパーのティスの開閉を制御しようとする時に、使用者は、プルタブを引っ張ることで、ばね板がプルタブ上のＵ形リンクにより上向きに押し付けられるとともに、Ｕ形リンク上の予め設けられたストッパーが上げられジッパーのティスから離脱され、プルタブでスライダ構造をジッパー上に摺動自在に引っ張ることができるようになり、ジッパーのティスが開閉を生じるようになる。
【０００４】
しかしながら、従来のジッパースライダは、組立の時に先にばね板をスライダに取り付けた後に、さらにカバーをスライダの上に覆い、組立の手続きが比較的に複雑で、組立も不便であり、かつ、ばね板自身の強度がかなり強いため、使用者がプルタブを引っ張る時に、比較的に大きな力でなければばね板を変形させることができなく、スライダを引っ張る時に円滑にすることは難い。
【０００５】
そのため、本考案者は、前記欠点が改良できるのを感心して、長年以来この領域で積み立てた経験により、専念な観察かつ研究を重ね、さらに学術理論の運用に合せ、やっと合理な設計且つ前記の欠点を有効に改良できた本考案を提案した。
【考案の開示】
【考案が解決しようとする課題】
【０００６】
本考案の主な目的は、先ず、スライダを取付し易いようにカバーとばね板とを一体に組み立て、またばね板上に開口が設けられ、カバーの内部に凹部を形成してばね板の強度を低下させ、ばね板がより大きな変形空間を有し、より小さい力でスライダを引っ張ることができるジッパースライダのカバー構造を提供することにある。
【課題を解決するための手段】
【０００７】
前記目的を達成するため、本考案は、その底面に収容溝を凹むように形成し、前記収容溝内に少なくとも一つの突起が凸設され、前記突起の対向する両側に凹部がそれぞれ形成され、前記２つの凹部の底面は前記突起の頂面より低く、前記カバーの長手方向の両側は側壁をそれぞれ有し、側壁毎には前記収容溝に連通する凹所が設けられ、前記凹所に近接する箇所に位置制限部が設けられるカバーと、前記収容溝内に設けられ、前記２つの位置制限部に当接し、前記ばね板の一端に前記突起に対応する開口が設けられるばね板とを備えるジッパースライダのカバー構造を提供することにある。
【考案の効果】
【０００８】
本考案は、以下の有利な効果がある。
【０００９】
本考案は、ばね板をカバー内に予め組み立てカバー構造を形成しておき、スライダを組み立てる時に、カバー構造をスライダに直接的に取り付ければよいので、組立し易くなり、使用者はプルタブを小さい力で引っ張ることができ、使用者がスライダを引っ張って動かす時に省力できかつ手の感触がより良くなる。
【００１０】
本考案の特徴及び技術内容を、以下に本考案に関わる詳しい説明及び添付図面を参照することにより、深く且つ具体的な了解を得られるが、それらの添付図面が参考及び説明のみに使われ、本考案の主張範囲を狭義的に局限するものではないことは言うまでもないことである。
【考案を実施するための最良の形態】
【００１１】
図１〜図４を参照すると、本考案のジッパースライダのカバー構造１は、カバー１０及びばね板２０を含む。
【００１２】
カバー１０の底面１１に収容溝１２を凹むように形成し、収容溝１２内に両側に近い箇所に一つの突起１３がそれぞれ凸設され、突起１３毎の対向する両側に凹部１４がそれぞれ形成され（図２に示すように）、２つの凹部１４は、それぞれ、突起１３と収容溝１２の両側の内壁との間に位置され、かつ２つの凹部１４の底面は突起１３の頂面より低く設けられる。
【００１３】
カバー１０の長手方向の両側はそれぞれ側壁１５を有し、二つの側壁１５には収容溝１２に連通する凹所１５１がそれぞれ設けられ、二つの側壁１５の凹所１５１に近接する箇所に位置制限部１５２がそれぞれ設けられる。位置制限部１５２は側壁１５から収容溝１２の方向へ曲げて形成される。本実施例では、２つの位置制限部１５２は、斜めに対向して設けられるが、此れに限らない。２つの位置制限部１５２は、対向して設けてもよい。
【００１４】
ばね板２０は、弾性のある金属材料で作製され、ばね板２０の両端に開口２１がそれぞれ設けられ、２つの開口２１は、２つの突起１３に対応し、かつばね板２０の頂面、底面に貫通し、ばね板２０の強度を低下させる。本実施例では、開口２１は周囲が閉ざされた開口であるが、此れに限らず、開口２１は、一端がばね板の端面に開放した切欠き状の開口に形成しても良い（図６に示すように）。ばね板２０の中間の箇所に下向きに曲折して接触部２２が形成される。
【００１５】
本考案のジッパースライダのカバー構造１を組み立てる際に、ばね板２０は、カバー１０の収容溝１２内に設けられ、ばね板２０の表面が２つの位置制限部１５２に当接することで、ばね板２０がカバー１０の収容溝１２の開口から外れることを防ぎ、ばね板２０とカバー１０とが先に組み立てられるようになる。
【００１６】
図５に示すように、ばね板２０が力を受けて変形される時に、突起１３は２つの開口２１を介してばね板２０の下方に突出し、２つの凹部１４（図２に示すように）の底面は突起１３の頂面より低く設けられるため、ばね板２０がより大きな空間で変形でき、ばね板２０が外力を受ける時に、ばね板２０の両端が収容溝１２の内面に最も近いところまでに上向きに変形でき、妨害されることはない。
【００１７】
図７及び図８を参照すると、本考案のカバー構造１は、スライダ半製品２に組み立てられ、スライダ構造を形成する。スライダ半製品２は、スライダ３０と、プルタブ４０と、Ｕ形リンク５０とを備える。
【００１８】
スライダ３０の頂部両端には、第１の固定座３１及び第２の固定座３２がそれぞれ設けられ、第１の固定座３１及び第２の固定座３２には、第１の凹溝３１１および第２の凹溝３２１がそれぞれ設けられ、第１の固定座３１と第２の固定座３２の間に凹み空間３３が形成され、凹み空間３３の底面にＵ形リンク用穴３４が貫設され、スライダ３０の内部に滑り溝３５が設けられ、滑り溝３５はスライダ３０の両端に貫通し、Ｕ形リンク用穴３４に連通される。
【００１９】
プルタブ４０の一端には嵌合穴４１を有し、プルタブ４０は、嵌合穴４１と同端の端末に端部４２が設けられる。
【００２０】
Ｕ形リンク５０の一方の端部はヘッド部５１で、他方の端部が尾部５２であり、ヘッド部５１と尾部５２との間は凹弧状の腹部５３であり、腹部５３から尾部５２の方向へストッパー部５４が延設される。
【００２１】
ジッパースライダのカバー構造を組み立てようとする時に、先ず、プルタブ４０上の嵌合穴４１内にスライダ３０上の第１の固定座３１または第２の固定座３２が嵌合されるように、プルタブ４０の端部４２をスライダ３０の凹み空間３３内に置く。
【００２２】
次に、Ｕ形リンク５０をスライダ３０の第１の固定座３１および第２の固定座３２に固定し、そのうち、Ｕ形リンク５０のヘッド部５１が第１の固定座３１の第１の凹溝３１１内に設けられ、Ｕ形リンク５０の尾部５２が第２の固定座３２の第２の凹溝３２１の底部に当接され、Ｕ形リンク５０の腹部５３がプルタブ４０の端部４２に当接し、Ｕ形リンク５０のストッパー部５４が第１の固定座３１と第２の固定座３２の間に設けられたＵ形リンク用穴３４からスライダ３０の滑り溝３５内に入り、スライダ半製品２を形成する。
【００２３】
さらに図９を合せて参照すると、本考案のカバー構造１は、スライダ半製品２の上にカバーして固定することで、Ｕ形リンク５０とスライダ３０の第１の固定座３１と第２の固定座３２とをカバー１０で覆い、その内部に収納する状態になる。プルタブ４０の端部４２がカバー１０の２つの凹所１５１に貫通され、カバー１０の内部のばね板２０の接触部２２がＵ形リンク５０に当接され、ジッパースライダ構造を形成する。ジッパースライダ構造は、ストッパー部５４によりジッパーのティス（図略）に係合され、プルタブ４０が引っ張られない時に、ジッパースライダ構造が固定状態になる。
【００２４】
プルタブ４０が引っ張られると、ばね板２０がプルタブ４０の端部４２上のＵ形リンク５０に上向きに押し付けられるとともに、ストッパー部５４が上げられジッパーのティスから外されることに連動して、プルタブ４０によりジッパースライダ構造がジッパー上に摺動自在に引っ張られることができ、ジッパーのティスの開閉を制御できるようになる。
【００２５】
プルタブ４０が手放されると、プルタブ４０の端部４２上のＵ形リンク５０がばね板２０を押し付ける力を即時に釈放し、Ｕ形リンク５０のストッパー部５４がジッパーのティスまでに復位しストップされ、ジッパースライダ構造が固定状態になる。
【００２６】
このように、本考案は、カバー１０の両側の位置制限部１５２によりばね板２０をカバー１０内に取り付け、ばね板２０とカバー１０とが先にカバー構造１に結合し、組立の手続きを簡易化し、スライダを組み立てる時に、カバー構造１をスライダ３０に直接的に取り付ければよいので、組立し易くなる。
【００２７】
また、ばね板２０の両端部に開口２１がそれぞれ設けられるため、ばね板２０の強度が低下され、かつ、カバー１０の内部に凹部１４が形成され、ばね板２０がより大きな空間で変形でき、このようにして、使用者は比較的に小さい力をプルタブ４０に与えるだけで、ばね板２０を変形させ、Ｕ形リンク５０を上方向へ移動させることができ、比較的に省力で円滑的にジッパースライダを引っ張ることができる。
【００２８】
唯、以上のように単に本考案の好ましい具体的な実施例に過ぎず、本考案の実用新案登録請求の範囲を局限するものではなく、いずれの当該分野における通常の知識を有する専門家は、本考案の分野の中で、適当に変更や修飾などを実施できるが、それらの実施が本考案の主張範囲内に納入されるべきことは言うまでもないことである。
【図面の簡単な説明】
【００２９】
【図１】実施例のジッパースライダのカバー構造の組合斜視図である。
【図２】同上の分解斜視図である。
【図３】同上の平面図である。
【図４】同上の図３の４−４線の断面図である。
【図５】同上の図４のばね板変形時を示す図である。
【図６】同上のばね板の他の形態を示す分解斜視図である。
【図７】本考案のスライダ半製品の分解斜視図である。
【図８】本考案のスライダ半製品の組合斜視図である。
【図９】実施例のジッパースライダのカバーをスライダ半製品に取り付けた断面図である。
【符号の説明】
【００３０】
１          カバー構造
１０        カバー
１１        底面
１２        収容溝
１３        突起
１４        凹部
１５        側壁
１５１      凹所
１５２      位置制限部
２０        ばね板
２１        開口
２２        接触部
２          スライダ半製品
３０        スライダ
３１        第１の固定座
３１１      第１の凹溝
３２        第２の固定座
３２１      第２の凹溝
３３        凹み空間
３４        Ｕ形リンク用穴
３５        滑り溝
４０        プルタブ
４１        嵌合穴
４２        端部
５０        Ｕ形リンク
５１        ヘッド部
５２        尾部
５３        腹部
５４        ストッパー部
【図１】
0003140096.tif 000003
【図２】
0003140096.tif 000004
【図３】
0003140096.tif 000005
【図４】
0003140096.tif 000006
【図５】
0003140096.tif 000007
【図６】
0003140096.tif 000008
【図７】
0003140096.tif 000009
【図８】
0003140096.tif 000010
【図９】
0003140096.tif 000011